(57)【要約】    【課題】  食器の製造時に台座が歪むのを未然に防止することによって、食器の仕上がりを良好なものとして、食器の商品価値を向上させること。    【解決手段】  本発明では、食器本体の底部に台座を有する食器において、食器本体の外側面に台座の内側から外側に向けて傾斜する水抜き溝を形成して、台座の直下方に台座の内側から外側へと連通する水抜き孔を形成することにした。特に、食器本体は、最底部分から水抜き溝の始端部分に向けて傾斜面を形成し、また、水抜き溝の形成部分の厚みを均一にした。また、水抜き溝は、円周方向に向けて等間隔に複数個形成した。【選択図】      図１
2006102374.tif 000002
【特許請求の範囲】
【請求項１】
食器本体の底部に台座を有する食器において、
食器本体の外側面に台座の内側から外側に向けて傾斜する水抜き溝を形成して、台座の直下方に台座の内側から外側へと連通する水抜き孔を形成したことを特徴とする食器。
【請求項２】
前記食器本体は、最底部分から水抜き溝の始端部分に向けて傾斜面を形成したことを特徴とする請求項１に記載の食器。
【請求項３】
前記食器本体は、水抜き溝の形成部分の厚みを均一にしたことを特徴とする請求項１又は請求項２に記載の食器。
【請求項４】
前記水抜き溝は、円周方向に向けて等間隔に複数個形成したことを特徴とする請求項１から請求項３のいずれかに記載の食器。
【発明の詳細な説明】
【技術分野】
【０００１】
本発明は、食器に関するものであり、特に、食器本体の底部に台座を有し、台座の内側から外側へと連通する水抜き孔を有する食器に関するものである。
【背景技術】
【０００２】
日常頻繁に利用される茶碗やコップなどの食器には、碗状又は筒状の食器本体の底部に高台や糸底などの台座が形成されていて、この台座をテーブル上に載置することで、食器を安定した状態で載置することができるようになっている。
【０００３】
しかしながら、この台座が形成されているために、洗浄後の乾燥時に食器を上下反転させた状態で放置した場合に、台座の内側にすすぎ水が残留してしまい、食器を良好に乾燥させることができなかった。
【０００４】
特に、近年の食器洗浄装置の普及によって、食器を上下反転させた状態で自動的に洗浄した場合には、すすぎ水だけでなく、洗浄薬品や汚れまでもが台座の内側に残留してしまうおそれがあった。
【０００５】
また、食器の製造時においては、表面に塗布する釉薬が台座の内側に溜まってしまい、外観状で好ましくない仕上がりになるおそれがあった。
【０００６】
そのため、従来においては、台座に切欠溝や貫通孔を形成して、台座の内側から外側に水滴を排出できるようにした食器が考えられている（たとえば、特許文献１参照。）。
【特許文献１】実開平７−３４３５号公報
【発明の開示】
【発明が解決しようとする課題】
【０００７】
ところが、上記従来の食器では、台座に切欠溝や貫通孔を形成していたために、以下に記載する不具合が発生するおそれがあった。
【０００８】
すなわち、台座に切欠溝を形成した場合には、食器の載置時に接地面積が減少してしまい、食器を安定な状態で載置することができなくなるおそれがあった。
【０００９】
また、台座に貫通孔を形成した場合には、貫通孔と食器本体の外側面との間に凸部が形成されてしまい、その凸部によって堰きとめられた少量の水滴が台座の内部に残留してしまうおそれがあった。
【００１０】
さらに、台座は食器本体に比べてサイズが小さいことから、焼成時や成形時に食器本体よりも歪み易いために、台座に切欠溝や貫通孔を形成すると、台座の強度が著しく低減して、焼成時や成形時により大きく歪んでしまい、外観上の美観を損なった仕上がりになって、商品価値が低減してしまうおそれがあった。
【課題を解決するための手段】
【００１１】
そこで、請求項１に係る本発明では、食器本体の底部に台座を有する食器において、食器本体の外側面に台座の内側から外側に向けて傾斜する水抜き溝を形成して、台座の直下方に台座の内側から外側へと連通する水抜き孔を形成することにした。
【００１２】
また、請求項２に係る本発明では、前記請求項１に係る本発明において、前記食器本体は、最底部分から水抜き溝の始端部分に向けて傾斜面を形成することにした。
【００１３】
また、請求項３に係る本発明では、前記請求項１又は請求項２に係る本発明において、前記食器本体は、水抜き溝の形成部分の厚みを均一にすることにした。
【００１４】
また、請求項４に係る本発明では、前記請求項１から請求項３に係る本発明において、前記水抜き溝は、円周方向に向けて等間隔に複数個形成することにした。
【発明の効果】
【００１５】
そして、本発明では、以下に記載する効果を奏する。
【００１６】
すなわち、請求項１に係る本発明では、食器本体の底部に台座を有する食器において、食器本体の外側面に台座の内側から外側に向けて傾斜する水抜き溝を形成して、台座の直下方に台座の内側から外側へと連通する水抜き孔を形成しているために、台座に切欠溝や貫通孔を形成する必要がなくなり、製造時に台座が歪むのを未然に防止することができて、食器の仕上がりを良好なものとすることができ、食器の商品価値を向上させることができる。
【００１７】
また、請求項２に係る本発明では、食器本体の最底部分から水抜き溝の始端部分に向けて傾斜面を形成しているために、この傾斜面に沿って台座の内部の水滴を水抜き溝へと良好に導くことができるので、台座の内部の水滴をより一層良好に台座の外部へと排出することができる。
【００１８】
また、請求項３に係る本発明では、食器本体の水抜き溝の形成部分の厚みを均一にしているために、水抜き溝を形成したことに起因する薄肉部分が形成されることがなく、食器の強度を確保することができる。
【００１９】
また、請求項４に係る本発明では、水抜き溝を円周方向に向けて等間隔に複数個形成しているために、これら複数個の水抜き溝を用いて台座の内部から外部へと水滴を排出することができるので、台座の内部の水滴をより一層良好に台座の外部へと排出することができるとともに、等間隔に複数個の水抜き溝を食器本体の外側面に形成することで、デザイン的にも安定感が増し、より一層食器の商品価値を向上させることができる。
【発明を実施するための最良の形態】
【００２０】
本発明に係る食器は、食器本体の底部に台座を有し、台座の内側から外側へと連通する水抜き孔を有するものである。
【００２１】
ここで、食器とは、食器本体の底部に台座を有する構造の茶碗やコップなどの食器であれば、陶器、磁器、プラスチック製容器、ガラス製容器などであってもよい。
【００２２】
また、食器本体は、碗状又は筒状などの形状をしていて、内部に飲食物を容れる構造のものであればよく、また、台座は、食器本体の底部に形成した高台や糸底などの食器を安定載置するときに用いる構造のものであればよい。
【００２３】
そして、本発明に係る食器は、水抜き孔を有しているために、この水抜き孔を通して台座の内側の水滴を台座の外側へ円滑に排出することができるものである。
【００２４】
これにより、食器洗浄時には、洗浄薬品が台座の内側に溜まることがなくなり、食器を良好に洗浄することができる。
【００２５】
また、食器乾燥時には、すすぎ水が台座の内部に残留することがなくなり、食器を良好に乾燥させることができる。
【００２６】
さらに、食器製造時には、釉薬が台座の内部に残留することがなくなり、食器の仕上がりを良好なものとすることができる。
【００２７】
しかも、本発明に係る食器では、食器本体の外側面に台座の内側から外側に向けて傾斜する水抜き溝を形成して、台座の直下方に台座の内側から外側へと連通する水抜き孔を形成している。
【００２８】
そのため、従来の食器のように台座に切欠溝や貫通孔を形成する必要がなくなり、製造時に台座が歪むのを未然に防止することができるので、食器の仕上がりを良好なものとすることができて、食器の商品価値を向上させることができる。
【００２９】
特に、食器本体の最底部分から水抜き溝の始端部分に向けて傾斜面を形成した場合には、この傾斜面に沿って台座の内部の水滴を水抜き溝へと良好に導くことができるので、台座の内部の水滴をより一層良好に台座の外部へと排出することができる。
【００３０】
また、食器本体の水抜き溝の形成部分の厚みを均一にした場合には、水抜き溝を形成したことに起因する薄肉部分が形成されることがなく、食器の強度を確保することができる。
【００３１】
さらに、水抜き溝を円周方向に向けて等間隔に複数個形成した場合には、これら複数個の水抜き溝を用いて台座の内部から外部へと水滴を排出することができるので、台座の内部の水滴をより一層良好に台座の外部へと排出することができるとともに、等間隔に複数個の水抜き溝を食器本体の外側面に形成することで、デザイン的にも安定感が増し、より一層食器の商品価値を向上させることができる。
【００３２】
以下に、本発明に係る食器の具体的な構造について図面を参照しながら説明する。
【００３３】
食器１は、図１に示すように、碗状の食器本体２と、その食器本体２の底部に連設した載頭円錐管状の台座３（一般に高台と呼ばれる。）とで構成している。
【００３４】
この食器１は、食器本体２に台座３を貼着した後に、全面に釉薬を塗布し、焼成釜で焼成することによって製造する。
【００３５】
そして、食器本体２の外側面には、図１〜図４に示すように、台座３の内側から外側に向けて傾斜する凹状の水抜き溝４を形成するとともに、食器本体２の最底部（中央部）から水抜き溝４の始端部分（上端部分）に向けて傾斜面５を形成している。
【００３６】
この水抜き溝４は、図２に示すように、底面視で食器本体２の略中央部分から円周方向に向けて等間隔に複数個（本実施例では１２０度間隔で３個）形成している。
【００３７】
各水抜き溝４は、食器本体２の略中央部分から中途側面に向けて漸次拡幅した放物線状に形成し、食器本体２の略中央部から中途側面に向けて漸次浅くなるように形成している。すなわち、図４に示すように、食器本体２は、水抜き溝４を形成していない部分では、外側面の厚みが底部に向かうにしたがって徐々に厚くなるようにする一方、水抜き溝４を形成した部分では、外側面の厚みが全体的に均一となるようにしており、その結果、水抜き溝４が食器本体２の略中央部から中途側面に向けて漸次浅くなっている。
【００３８】
このように、食器本体２の外側面に水抜き溝４を等間隔に複数個形成しているために、デザイン的にも安定感が増し、食器１の商品価値を向上させることができる。しかも、水抜き溝４を食器本体２の略中央部から中途側面に向けて漸次浅くしているために、水抜き溝４の終端部分で水抜き溝４と食器本体２の外側面とが連続面となり、デザイン的にも一体感が増し、これによっても食器１の商品価値を向上させることができる。
【００３９】
この水抜き溝４を食器本体２の外側面に形成することによって、食器１は、食器本体２の外側面と台座３の上端面との間に間隙が形成されて、台座３の直下方に台座３の内側から外側へと連通する水抜き孔６が形成される。
【００４０】
この水抜き孔６は、台座３の内側から外側へと連通しているために、台座３の内側に溜まった水滴を台座３の外側へ排出することができる。その際に、水滴は水抜き溝４に案内されて円滑に排出される。
【００４１】
食器１は、以上に説明した構造となっており、食器本体２の外側面に台座３の内側から外側に向けて傾斜する水抜き溝４を形成することによって台座３の直下方に台座４の内側から外側へと連通する水抜き孔６を形成している。このように、食器１では、従来のように台座自体に加工を施すのではなく、台座自体の形状を変更せずに食器本体側だけに加工を施している。
【００４２】
これにより、食器１では、従来の食器のように台座に切欠溝や貫通孔を形成する必要がなくなり、製造時に台座３が歪むのを未然に防止することができるので、食器１の仕上がりを良好なものとすることができて、食器１の商品価値を向上させることができる。
【００４３】
しかも、食器１では、食器本体２の最底部分から水抜き溝４の始端部分に向けて傾斜面５を形成することによって、この傾斜面５に沿って台座３の内部の水滴を水抜き溝４へと良好に導くことができるので、台座３の内部の水滴をより一層良好に台座３の外部へと排出することができる。
【００４４】
また、食器１では、食器本体２の水抜き溝４の形成部分の厚みを均一にすることによって、水抜き溝４を形成したことに起因する薄肉部分が形成されることがなくなり、食器１の強度を確保することができる。
【００４５】
さらに、食器１では、水抜き溝４を円周方向に向けて等間隔に複数個形成することによって、これら複数個の水抜き溝４を用いて台座３の内部から外部へと水滴を排出することができるので、台座３の内部の水滴をより一層良好に台座３の外部へと排出することができるとともに、等間隔に複数個の水抜き溝４を食器本体２の外側面に形成することで、デザイン的にも安定感が増し、より一層食器１の商品価値を向上させることができる。
【図面の簡単な説明】
【００４６】
【図１】本発明に係る食器（上下反転状態）を示す斜視図。
【図２】同底面図。
【図３】同側面図。
【図４】図２のＡ−Ａ断面図。
【符号の説明】
【００４７】
１  食器
２  食器本体
３  台座
４  水抜き溝
５  傾斜面
６  水抜き孔
【図１】
2006102374.tif 000003
【図２】
2006102374.tif 000004
【図３】
2006102374.tif 000005
【図４】
2006102374.tif 000006